(57)【要約】【課題】中央床部に対して回動可能に連結される側部床板部の連結強度を向上させるようにしたこと。【解決手段】上下フレームに設けられる揺動フレームと、揺動フレ−ムとともに長手方向と交差する幅方向に揺動駆動される床板体１５を具備し、床板体は、揺動フレ−ムの上面に設けられる中央床板部１７と、中央床板部の幅方向の両側に配置され幅方向の一端がヒンジ２２によって中央床板部に回動可能に連結された側部床板部１８と、ヒンジに一体に設けられ側部床板部が中央床板部に対して水平な状態から上方へ回動するのを許容するとともに水平な状態から下方へ回動するのを阻止する第１の受け部材２９を具備する。【選択図】  図８
2019097658.tif 000002
【特許請求の範囲】
【請求項１】
ベッドフレームと、
このベッドフレームに設けられ長手方向と交差する幅方向に揺動駆動される揺動フレームと、
この揺動フレ−ムの上面に設けられ前記揺動フレ−ムとともに長手方向と交差する幅方向に揺動駆動される床板体を具備し、
前記床板体は、
前記揺動フレ−ムの上面に設けられる中央床板部と、
この中央床板部の幅方向の両側に配置され幅方向の一端がヒンジによって前記中央床板部に回動可能に連結された側部床板部と、
前記ヒンジに一体に設けられ前記側部床板部が前記中央床板部に対して水平な状態から上方へ回動するのを許容するとともに水平な状態から下方へ回動するのを阻止する第１の受け部材と
を具備したことを特徴とするベッド装置。
【請求項２】
前記ヒンジは、
前記中央床板部の幅方向の端部上面に取付けられた第１の連結片と、前記側部床板部の幅方向の端部上面に取付けられ前記第１の連結片に連結軸によって回動可能に連結された第２の連結片と、前記第１の連結片と一体成形された前記第１の受け部材と
によって構成されていることを特徴とする請求項１記載のベッド装置。
【請求項３】
前記第１の受け部材は、一端部が前記第１の連結片と一体成形され他端部は下方に向かって延出されて末端部が前記第２の連結片側に向かって屈曲された第１の係合部に形成され、
前記側部床板部が回動上昇した状態から下方へ回動して前記中央床板部に対して水平な状態になったときに、前記側部床板部の幅方向の一端部の下面が前記第１の受け部材の前記第１の係合部に係合することを特徴とする請求項２記載のベッド装置。
【請求項４】
前記中央床板部と前記側部床板部は樹脂によって一体成形されていて、前記中央床板部の幅方向の両端と一対の前記側部床板部の幅方向の一端との厚さ方向の上端部は可撓性の薄肉部によって回動可能に連結されていることを特徴とする請求項１ないし請求項３のいずれかに記載のベッド装置。
【請求項５】
前記中央床板部と前記側部床板部との下面には、前記中央床板部の幅方向全長及び前記側部床板部の幅方向の少なくとも一部には前記幅方向に連通する取付け凹部が形成されていて、前記取付け凹部には前記側部床板部が水平な状態から下方へ回動するのを前記第１の受け部材ととともに阻止する第２の受け部材が設けられることを特徴とする請求項１記載のベッド装置。
【請求項６】
ベッドフレームと、
このベッドフレームに設けられ長手方向と交差する幅方向に揺動駆動される揺動フレームと、
この揺動フレ−ムの上面に設けられ前記揺動フレ−ムとともに長手方向と交差する幅方向に揺動駆動される床板体を具備し、
前記床板体は、
前記揺動フレ−ムの上面に設けられる中央床板部と、
この中央床板部の幅方向の両側に配置され前記中央床板部に対して回動可能に連結された側部床板部と、
前記中央床板部の幅方向の両側或いは一対の前記側部床板部の前記中央床板部の前記両側に対向する側部のいずれかに設けられ前記側部床板部が前記中央床板部に対して水平な状態から上方へ回動するのを許容するとともに水平な状態から下方へ回動するのを阻止する第３の受け部材と
を具備したことを特徴とするベッド装置。
【請求項７】
前記第３の受け部材は、一端部が前記中央床板部の側面に一体的に設けられ他端部は下方に向かって延出されて前記側部床板部の下面側に屈曲された第２の係合部に形成され、
前記側部床板部が回動上昇した状態から下方へ回動して前記中央床板部に対して水平な状態になったときに、前記側部床板部の幅方向の一端部の下面が前記第３の受け部材の前記第２の係合部に係合することを特徴とする請求項６記載のベッド装置。
【請求項８】
前記第３の受け部材は、一端部が前記側部床板部の側面に一体的に設けられ他端部は下方に向かって延出されて前記中央床板部の下面側に屈曲された第３の係合部に形成され、
前記側部床板部が回動上昇した状態から下方へ回動して前記中央床板部に対して水平な状態になったときに、前記中央床板部の幅方向の一端部の下面に前記第３の受け部材の前記第３の係合部に係合することを特徴とする請求項６記載のベッド装置。
【発明の詳細な説明】
【技術分野】
【０００１】
この発明は利用者が仰臥する床板体を上下駆動、背上げ駆動及び幅方向に揺動駆動させることができる構成のベッド装置に関する。
【背景技術】
【０００２】
自力によって寝返りを打ったり、体を起こすことのできない、たとえば老人や病人などのベッド装置の利用者は、そのベッド装置のマットレス上で長期間にわたって仰臥したままの状態でいるということを強いられることがある。
【０００３】
利用者が長期間にわたって仰臥したままの姿勢でいると、身体の背面、とくに臀部に、いわゆる床ずれを起こして苦痛が増大するということがある。そのため、床ずれを防止するには利用者の体位を適宜変換することが好ましい。
【０００４】
利用者の体位を適宜変換できるようにするため、たとえば特許文献１に示されるベッド装置が提案されている。前記ベッド装置は、ベースフレームを有し、このベースフレームには背上げ及び脚上げ用の駆動機構を備えた載置フレームが上下駆動可能に設けられている。
【０００５】
前記載置フレームにはベッドフレームとしての支持フレームが設けられている。この支持フレームには揺動フレームが幅方向に揺動可能に設けられる。前記揺動フレームは前記支持フレームよりも幅寸法が小さく設定されている。さらに、前記支持フレームには前記揺動フレームを揺動駆動する揺動駆動部が設けられている。
【０００６】
前記揺動フレーム上には床板体が載置される。この床板体は中央床板部と、この中央床板部の幅方向両側に上昇方向にだけ回動できるよう一対の側部床板部が設けられている。一対の前記側部床板部は前記揺動フレームの幅方向両側から外方に突出する大きさに設定されている。
【０００７】
前記揺動フレームが前記揺動駆動部によって幅方向に揺動駆動されると、前記床板体の揺動方向の下方側に位置する一方の前記側部床板部の下面が前記支持フレームの幅方向端部上面に当たり、その側部床板部が前記中央床板部に対して相対的に上方へ回動することになる。
【０００８】
それによって、前記側部床板部は前記中央床板部に対して逆への字状に屈曲するから、利用者が揺動する前記床板体の傾斜方向下側へ大きく移動し過ぎたり、落下するなどのことを防止しながら、前記床板体を揺動させることができる。
【０００９】
通常、前記中央床板部と側部床板部は、樹脂によって一体的に発泡成形される。つまり、前記中央床板部の幅方向両側と、前記側部床板部の幅方向両側との厚さ方向の上端部とが、長手方向の全長にわたって可撓性を有する薄肉部によって連結されるよう、前記中央床板部と前記側部床板部とが発泡成形される。それによって、前記側部床板部は前記中央床板部に対して水平な状態から上方向にだけ回動可能に連結される。
【００１０】
前記床板体は、前記中央床板部に対して一対の前記側部床板部が前記薄肉部によって連結されているだけであると、前記床板体が水平な状態にあるとき、前記側部床板部は前記薄肉部だけによって連結支持されただけの状態にある。
【００１１】
そのため、その状態で、前記側部床板部の上面に荷重が加わると、前記薄肉部が破断する虞がある。つまり、前記薄肉部だけでは、前記中央床板部に対して前記側部床板部を十分な強度で回動可能に連結することができない。
【００１２】
そこで、従来は前記床板体の前記中央床板部の下面に、幅方向に沿ってパイプ材などの複数の横杆材を長手方向に所定間隔で固定配置する。前記横杆材は前記中央床部の幅寸法よりも長尺に形成されている。
【００１３】
前記横杆材の両端部、つまり前記側部床板部の下面側に位置する前記横杆材の端部には縦杆材を連結する。それによって、前記床板体が揺動されずに水平な状態にあるとき、前記側部床板部は下面が前記縦杆材によって支持されるから、その上面に加わる荷重に対して前記薄肉部を損傷させることのない連結強度が得られる。つまり、従来は前記中央床板部の下面全体にわたって前記縦杆材と前記横杆材とからなる補強部材を設けるようにしていた。
【先行技術文献】
【特許文献】
【００１４】
【特許文献１】特開平７−２９８９５７号公報
【特許文献２】特開平７−４５９号公報
【発明の概要】
【発明が解決しようとする課題】
【００１５】
上述したように、従来のベッド装置によると、前記床板体の中央床部の下面には、長手方向に対して所定間隔で複数の横杆材、及びこれら横杆材の両端に連結して縦杆材を設けるようにしていた。
【００１６】
前記補強部材の前記横杆材と前記縦杆材は、所定の強度が得られ、しかも比較的安価に構成できるよう金属パイプなどの金属材料が用いられることが多い。そのため、前記補強部材が設けられた前記床板体は、高量化することが避けられないばかりか、金属材料の加工や前記中央床板部に対する組み付け作業などに手間が掛かるなどのことがあった。
【００１７】
しかも、介護用のベッド装置は、背上げ機能や脚上げ機能を備えていることが多い。そのような機能を備えたベッド装置の場合、前記床板体の前記中央床板部及び一対の前記側部床板部は長手方向に対して背上げ部分と脚上げ部分との複数の床板部分に分割されて回動可能に連結される。
【００１８】
前記床板体を複数の床板部分に分割すると、それぞれの床板部分ごとに前記横杆材と縦杆材からなる前記補強部材を設けなければならない。そのため、そのような場合には前記床板体のさらなる高重量化や部品点数の増大を招いたり、組み付け作業により多くの手間が掛かるなどのことがあった。
【００１９】
この発明は、床板体の高重量化や組み立て作業の複雑化などを招くことなく、中央床板部と側部床板部とを十分な連結強度で回動可能に連結することができるようにしたベッド装置を提供することにある。
【課題を解決するための手段】
【００２０】
この発明は、ベッドフレームと、
このベッドフレームに設けられ長手方向と交差する幅方向に揺動駆動される揺動フレームと、
この揺動フレ−ムの上面に設けられ前記揺動フレ−ムとともに長手方向と交差する幅方向に揺動駆動される床板体を具備し、
前記床板体は、
前記揺動フレ−ムの上面に設けられる中央床板部と、
この中央床板部の幅方向の両側に配置され幅方向の一端がヒンジによって前記中央床板部に回動可能に連結された側部床板部と、
前記ヒンジに一体に設けられ前記側部床板部が前記中央床板部に対して水平な状態から上方へ回動するのを許容するとともに水平な状態から下方へ回動するのを阻止する第１の受け部材と
を具備したことを特徴とするベッド装置にある。
【発明の効果】
【００２１】
この発明によれば、前記中央床板部に対して前記側部床板部をヒンジによって回動可能に連結するととともに、前記ヒンジに、前記側部床板部が前記中央床板部に対して水平な状態から上方へ回動するのを許容するとともに水平な状態から下方へ回動するのを阻止する第１の受け部材を一体に設けるようにした。
【００２２】
そのため、前記中央床板部と前記側部床板部とを前記ヒンジよって連結するだけで、前記床板体が水平にあるとき、前記側部床板部の上面に加わる荷重を前記第１の受け部材によって受けることができるから、前記床板体の軽量化や構造の簡略化を図ると同時に、前記側部床板部の耐荷重強度を向上させることができる。
【図面の簡単な説明】
【００２３】
【図１】図１はこの発明の第１の実施の形態を示すベッド装置の斜視図。
【図２】前記ベッド装置の正面図。
【図３】同じく側面図。
【図４】同じく平面図。
【図５】複数に分割された床板体の１つを上方から見た斜視図。
【図６】図５に示す前記床板体を下方から見た斜視図。
【図７】（ａ）は分解されたヒンジの斜視図、（ｂ）は組み立てられたヒンジの斜視図、（ｃ）はヒンジの第２の連結片を上方向に回動させた斜視図。
【図８】（ａ）はヒンジによって連結された中央床板部に対して側部床板部が水平な状態にある図、（ｂ）は側部床板部が中央床板部に対して上方へ回動した状態にある図。
【図９】下面に第２の受け部材が設けられた床板体の一部を下面を上にして示す図。
【図１０】この発明の第２の実施の形態を示す床板体の幅方向に沿う一部破断した図。
【図１１】この発明の第３の実施の形態を示す床板体の幅方向に沿う一部破断した図。
【発明を実施するための形態】
【００２４】
以下、この発明の第１の実施の形態を図１乃至図９を参照しながら説明する。  
【００２５】
図１乃至図３に示すベッド装置Ｂは、四隅部が脚体２によって支持されたベースフレーム１を備えている。このベースフレーム１には図２に示すようにベッドフレームとしての上下フレーム３が左右一対の上下用リンク４を有する上下駆動機構５によって上下方向に駆動可能に設けられている。
【００２６】
図２と図４に示すように、前記上下フレーム３は所定間隔で平行に離間対向した一対の縦杆６、及びこれら縦杆６の一端と他端とに立位状態で取付けられた一対のボード体７によって平面形状が矩形枠状となるよう形成されている。前記上下フレーム３の一対の前記縦杆６の外側面には、図示しない側柵を着脱可能に取付けるための折り曲げ可能な支持部材８が長手方向に所定間隔で設けられている。
【００２７】
前記上下フレーム３の枠内には、矩形枠状の揺動フレーム１１(図１に示す)が配置されている。つまり、前記揺動フレーム１１は前記上下フレーム３の内部に入り込む幅寸法に設定されている。  
【００２８】
そして、前記揺動フレーム１１は前記上下フレーム３の長手方向一端部に設けられた揺動駆動機構１２(図２に示す)によって幅方向に揺動駆動されるようになっている。
【００２９】
前記揺動フレーム１１の上面には床板体１５が設けられている。前記床板体１５は図１或いは図４に示すようにブロー成形された中央床板部１７及びこの中央床板部１７の幅方向両側に厚さ方向の上端部が可撓性の薄肉部１６によって回動可能に連結された一対の側部床板部１８によって構成されている。前記薄肉部１６は前記床板体１５を成形加工するとき、同時に成形される。
【００３０】
つまり、一対の前記側部床板部１７は前記薄肉部１６によって前記中央床板部１７に対して水平な状態で保持されるとともに、水平な状態から前記薄肉部１６との連結部分を支点として上方向にだけ回動可能であって、下方向には回動不能に連結されている。
【００３１】
前記中央床板部１７と一対の前記側部床板部１８とはそれぞれ所定の長さの複数の床部１７ａ〜１７ｄ、１８ａ〜１８ｄに分割されている。この実施の形態では、背床部１７ａ，１８ａ、２つで対をなす（二分割された）固定床部１７ｂ，１８ｂ、第１の脚床部１７ｃ，１８ｃ及び第２の脚床部１７ｄ，１８ｄの４つの部分に分割されている。
【００３２】
前記中央床板部１７の２つの前記固定床部１７ｂは前記揺動フレーム１１に固定されている。前記中央床板部１７の前記固定床部１７ｂには、幅方向と交差する長手方向の一端に前記背床部１７ａが回動可能に連結され、他端には前記第１の脚床部１７ｃと前記第２の脚床部１７ｄが順次回動可能に連結されている。
【００３３】
なお、前記中央床板部１７の幅寸法は、前記揺動フレーム１１の幅寸法とほぼ同じに設定されている。それによって、前記揺動フレーム１１に取付けられた前記床板体１５は、その一対の前記側部床板部１８が前記揺動フレーム１１の幅方向外方に突出している。
【００３４】
前記揺動フレーム１１の下面側には図２に示す背上げ駆動ユニット２１が設けられている。この背上げ駆動ユニット２１が作動すると、同図に鎖線で示すように前記中央床板部１７と前記側部床板部１８との前記背床部１７ａ，１８ａを一体的に起上方向に回動させることができる。
【００３５】
さらに、前記背床部１７ａ，１８ｃに連動あるいは単独で前記第１の脚床部１７ｃ，１８ｃを起上方向に回動駆動し、これに前記第２の脚床部１７ｄ，１８ｄを連動させて両者でほぼへの字状になるよう上昇させることができるようになっている。
【００３６】
前記上下フレーム３に設けられた前記揺動駆動機構１２を作動させると、図３に鎖線で示すように前記揺動フレーム１１とともに前記床板体１５を幅方向に揺動させることができる。
【００３７】
前記中央床板部１７の両側に設けられた一対の側部床板部１８は、上述したように前記中央床板部１７に対し前記薄肉部１６によって水平に保持された状態から、上方向にだけ回動できるようになっている。
【００３８】
したがって、前記床板体１５の回動方向上側に位置する前記側部床板部１８は水平な状態が維持され、下側に位置する前記側部床板部１８は前記上下フレーム３の前記縦杆６の上面に当たって前記中央床板部１７に対して相対的に水平な状態から上方に回動屈曲することになる。
【００３９】
前記床板体１５が水平な状態にあるとき、つまり前記揺動フレーム１１が幅方向に回動駆動されていないとき、左右一対の前記側部床板部１８の前記揺動フレーム１１の幅方向両端部から外方へ突出した部分は、前記上下フレーム３によって支持されていない状態にある。そのため、前記側部床板部１８の上面に所定以上の荷重が加わると、前記側部床板部１８を前記中央床板部１７に連結した前記薄肉部１６が損傷する虞がある。
【００４０】
前記薄肉部１６が損傷するのを防止するため、図４に示すように前記中央床板部１７と前記側部床板部１８とは合成樹脂製のヒンジ２２によって連結されている。この実施の形態では、前記中央床部１７の前記背床部１７ａ、前記第１の脚床部１７ｃ、及び第２の脚床部１７ｄの幅方向両端と、一対の前記側部床板部１８の前記背床部１８ａ、第１の脚床部１８ｃ、及び第２の脚床部１８ｄの幅方向一端との長手方向の両端部が、それぞれ一対の前記ヒンジ２２によって後述するように回動可能に連結されている。
【００４１】
なお、図４に示すこの実施の形態では、２つに分割された前記中央床部１７の前記固定床部１７ｂと前記側部床板部１８の前記固定床部１８ｂは、前記ヒンジ２２によって連結されていないが、前記ヒンジ２２によって連結するようにしてもよい。
【００４２】
前記ヒンジ２２は図７（ａ）〜（ｃ）に示すように第１の連結片２３を有する。この第１の連結片２３は平面形状が矩形板状であって、その一端の幅方向の両端部には上面及び側面に解放した凹部２４ａが形成されている。それによって、前記第１の連結片２３の一端部には一対の支持部２４が形成されている。
【００４３】
前記一対の支持部２４には第１の支持孔２４ｂ(図７（ａ）に示す)が厚さ方向に穿設され、これら支持孔２４ｂには連結軸２５が抜出不能に挿通支持されている。
【００４４】
前記第１の連結片２３には、平面形状が矩形板状の第２の連結片２６の一端部が前記連結軸２５によって回動可能に連結される。つまり、図７（ａ）に示すように、前記第２の連結片２６の一端部には凸部２７が突設され、この凸部２７には厚さ方向に貫通した支持孔２８が形成されている。
【００４５】
そして、前記第２の連結片２６は、前記凸部２７を前記凹部２４ａに位置させ、前記第１の支持孔２４ｂと前記第２の支持孔２８とにわたって前記連結軸２５を挿通することで回動可能に連結されている。
【００４６】
前記凸部２７が前記凹部２４ａ内に位置することで、前記第２の連結片２６は前記第１の連結片２３に対して上方向にだけ回動するようになっている。つまり、前記床板体１５の前記側部床板部１８と同様、上方向にだけ回動する。
【００４７】
前記第１の連結片２３には、第１の受け部材２９が一体成形されている。つまり、前記第１の受け部材２９は側面形状がほぼＬ字状をなしていて、一端部が前記第１の連結片２３の一対の前記支持部２４が形成された前記凹部２４ａの下面側の部分に一体となっている。前記第１の受け部材２９の他端部は下方に向かって延出され、前記第２の連結片２３側に向かって屈曲されて第１の係合部３１に形成されている。
【００４８】
図４と図５に示すように、前記ヒンジ２２は前記第１の連結片２３を前記中央床板部１７の前記背床部１７ａ，前記第１の脚床部１７ｃ及び前記第２の脚床部１７ｄの上面の長手方向両端部に形成された凹状の第１の取付け部３２に取付け固定され、前記第２の連結片２６を前記側部床板部１８の前記背床部１８ａ，前記第１の脚床部１８ｃ及び前記第２の脚床部１８ｄの上面の長手方向両端部に形成された凹状の第２の取付け部３３に取付け固定される。
【００４９】
なお、図５と図６は前記中央床板部１７の前記背床部１７ａと、前記側部床板部１８の背床部１８ａの連結状態を示している。
【００５０】
図８（ａ）に示すように、前記中央床板部１７と前記側部床板部１８とが水平な状態にあるとき、前記ヒンジ２２の前記第１の連結片２３に設けられた前記第１の受け部材２９の前記第１の係合部３１は、前記側部床板部１８の幅方向端部の下面に係合する。
【００５１】
それによって、前記第１の受け部材２９の前記第１の係合部３１は水平状態にある前記側部床板部１８の課阿呆への回動を阻止することになる。
【００５２】
図８（ｂ）は前記側部床板部１８が水平状態から上方へ回動した状態を示し、その場合には前記第１の受け部材２９の前記第１の係合部３１が前記側部床板部１８の上方への回動を邪魔することはない。
【００５３】
なお、前記床板体１５の前記中央床板部１７と前記側部床板部１８は、成形時に前記薄肉部１６を成形して回動可能に連結したが、薄肉部１６を成形せずに、ヒンジ２２だけによって回動可能に連結するようにしてもよい。
【００５４】
図６に示すように、前記中央床板部１７の前記背床部１７ａの下面には幅方向全長にわたる第１の凹部３５が形成されている。前記側部床板部１８の前記背床部１８ａには前記第１の凹部３５の両端に対応する位置の幅方向の一端部に第２の凹部３６が形成されている。
【００５５】
なお、図６は前記床板体１５の前記背床部１７ａ，１８ａを示しているが、前記第１、第２の脚床部１７ｃ，１８ｃ、１７ｄ，１８ｄにも同様に第１、第２の凹部３５，３６が形成されている。
【００５６】
そして、図９に示すように、上記第１の凹部３５にはパイプ材などの第２の受け部材３７が前記中央床板部１７に対して着脱可能に取付けられている。この第２の受け部材３７は長手方向の両端部が前記第１の凹部３５から側方へ突出する長さに設定されていて、その両端部は前記側部床板部１８が水平な状態にあるときに、前記第２の凹部３６に係合する。
【００５７】
それによって、前記第２の受け部材３７はその両端部によって、水平な状態にある前記側部床板部１８が下方へ回動するのを、前記第１の受け部材２９とともに阻止するようになっている。つまり、前記第２の受け部材３７の両端部は前記側部床板部１８が水平なとき、その下面に係合して支持する第２の係合部３８となっている。
【００５８】
このように構成されたベッド装置Ｂの前記床板体１５によれば、前記側部床板部１８は前記中央床板部１７にヒンジ２２及び薄肉部１６によって水平な状態から上方向にだけ回動可能連結されている。
【００５９】
前記側部床板部１８が前記中央床板部１７に対して水平な状態にあるとき、前記側部床板部１８の幅方向の端部下面に前記ヒンジ２２に一体的に設けられた前記第１の受け部材２９の前記第１の係合部３１が係合している。
【００６０】
それによって、前記側部床板部１８は前記第１の係合部３１によって下方へ回動するのが阻止された状態にあるから、前記側部床板部１８の上面に不用意に荷重Ｗ(図８に示す)が加わるようなことがあっても、前記側部床板部１８が前記荷重Ｗで下方へ回動するのが阻止される。
【００６１】
前記側部床板部１８の下方への回動が阻止されれば、前記側部床板部１８の前記ヒンジ２２による連結状態が損なわれたり、前記中央床板部１７と前記側部床板部１８とを連結した前記薄肉部１６が破断するのを防止することができる。
【００６２】
さらに、前記中央床板部１７と前記側部床板部１８との下面に形成された前記第１の凹部３５と前記第２の凹部３６には前記第２の受け部材３７が前記中央床板部１７に固定されて設けられ、前記第２の受け部材３７の両端部によって一対の前記側部床板部１８の下面が支持されている。
【００６３】
そのため、前記第２の受け部材３７によっても、前記側部床板部１８が下方へ回動するのが阻止されるから、前記側部床板部１８の上面に不用意な荷重Ｗが加わっても、前記ヒンジ２２による連結状態が損なわれたり、前記薄肉部１６が破断するのを、前記第１の受け部材２９とともに防止することができる。
【００６４】
図１０はこの発明の第２の実施の形態を示す。この実施の形態では、前記中央床板部１７と前記側部床板部１８とを回動可能に連結する前記ヒンジ２２には第１の実施の形態に示された前記第１の受け部材２９は設けられていない。
【００６５】
それに代わって、前記中央床板部１７の幅方向の両側面には、側面形状がほぼＬ字状の第３の受け部材４１が設けられている。この第３の受け部材４１は一端部が前記中央床板部１７の側面に一体的に設けられ、他端部は下方に向かって延出されて前記側部床板部１８の下面側に屈曲された第３の係合部４２に形成されている。
【００６６】
前記第３の受け部材４１は前記中央床板部１７を成形加工するとき、この中央床板部１７と一体成形してもよく、前記中央床板部１７とは別体に形成し、ねじや接着剤などによって前記中央床板部１７に一体的に設けるようにしてもよい。
【００６７】
図１１はこの発明の第３の実施の形態を示す。この実施の形態は第２の実施の形態の変形例で、前記第３の受け部材４１を前記側部床板部１８の前記中央床板部１７の側面に対向する側面に設けるようにしている。
【００６８】
つまり、前記第３の受け部材４１は一端部が前記側部床板部１８の側面に一体的に設けられ、前記側部床板部１８が水平な状態にあるときに、他端部に形成された前記第３の係合部４２が前記中央床板部１７の幅方向端部の下面に係合するようになっている。
【００６９】
前記第３の受け部材４１は、第２の実施の形態と同様、前記側部床板部１８と一体成形してもよく、別体として前記側部床板部１８の側面に一体的に取付けるようにしてもよい。
【００７０】
このような第２、第３の実施の形態においても、水平な状態にある前記側部床板部１８の上面に不用意な荷重が加わるようなことがあっても、その荷重によって前記中央床板部１７と前記側部床板部１８との連結部分が損傷するのを防止することができる。
【００７１】
なお、上述した実施の形態では上下フレームを有するベッド装置を例に挙げて説明し、たが、上下フレームを備えていないベッド装置であってもよい。つまり、上述した実施の形態では揺動フレームが設けられるベッドフレームとして上下フレームを例に挙げたが、上下フレームを備えていないベッド装置の場合にはベースフレームをベッドフレームとして利用し、このベッドフレームに揺動フレームを揺動可能に支持するようにすればよい。
【００７２】
また、床板体として中央床板部と一対の側部床板部とを背床部や脚床部などの複数の部分に分割し、背上げや脚上げができる構成のものを例に挙げて説明したが、前記中央床板部と前記側部床板部とが複数の部分に分割されていない床板体であってもよい。
【符号の説明】
【００７３】
１…ベースフレーム、３…上下フレーム(ベッドフレーム)、１１…揺動フレーム、１５…床板体、１６…薄肉部、１７…中央床板部、１８…側部床板部、２２…ヒンジ、２３…第１の連結片、２５…連結軸、２９…第１の受け部材、３１…第１の係合部、３７…第２の受け部材、３８…第２の係合部、４１…第３の受け部材、４２…第３の係合部。
【図１】
2019097658.tif 000003
【図２】
2019097658.tif 000004
【図３】
2019097658.tif 000005
【図４】
2019097658.tif 000006
【図５】
2019097658.tif 000007
【図６】
2019097658.tif 000008
【図７】
2019097658.tif 000009
【図８】
2019097658.tif 000010
【図９】
2019097658.tif 000011
【図１０】
2019097658.tif 000012
【図１１】
2019097658.tif 000013